【手続補正書】
【提出日】平成16年3月1日(2004.3.1)
【手続補正１】
【補正対象書類名】明細書
【補正対象項目名】発明の名称
【補正方法】変更
【補正の内容】
【発明の名称】データ制作システム、第１データ制作装置、第２データ制作装置、データ制作方法及びデータ制作プログラム並びにコンピュータ読み取り可能な記録媒体


【手続補正２】
【補正対象書類名】明細書
【補正対象項目名】特許請求の範囲
【補正方法】変更
【補正の内容】
【特許請求の範囲】
【請求項１】
第１と第２とのデータ制作装置からなるデータ制作システムであって、
前記第１データ制作装置は、
少なくとも１つの素材データの識別子と、素材データの配信先とを対応させた配信情報を記憶している配信情報記憶手段と、
外部の素材データ提供装置から素材データの提供を受けた場合に、前記配信情報に識別子が記載された素材データを選択し、対応する配信先の第２データ制作装置に配信する素材データ配信手段と、
前記素材データと同時に配信される番組を構成する各シーンには、シーン識別子が付されており、番組の各シーン毎の配信時刻が記載された配信スケジュールを記憶している配信スケジュール記憶手段とを備え、
前記素材データにはシーンに対応するシーン識別子が付されており、
前記素材データ配信手段は、素材データに付されたシーン識別子に対応する前記番組のシーンの配信時刻に合わせて素材データを配信することを特徴とするデータ制作システム。
【請求項２】
第１データ制作装置であって、
少なくとも１つの素材データの識別子と、素材データの配信先とを対応させた配信情報を記憶している配信情報記憶手段と、
外部の素材データ提供装置から素材データの提供を受けた場合に、前記配信情報に識別子が記載された素材データを選択し、対応する配信先の第２データ制作装置に配信する素材データ配信手段と、
前記素材データと同時に配信される番組を構成する各シーンには、シーン識別子が付されており、番組の各シーン毎の配信時刻が記載された配信スケジュールを記憶している配信スケジュール記憶手段とを備え、
前記素材データにはシーンに対応するシーン識別子が付されており、
前記素材データ配信手段は、素材データに付されたシーン識別子に対応する前記番組のシーンの配信時刻に合わせて素材データを配信することを特徴とする第１データ制作装置。
【請求項３】
データの第１テンプレートを記憶している第１テンプレート記憶手段と、
前記素材データ配信手段によって選択された素材データと選択されなかった素材データとの両方の通知を受け、前記第１テンプレートを用いてデータを構成するデータ要素を合成する第１合成手段とを更に備えることを特徴とする請求項２記載の第１データ制作装置。
【請求項４】
第１データ制作装置から素材データの配信を受ける第２データ制作装置であって、
データの第２テンプレートを記憶している第２テンプレート記憶手段と、
他の外部の素材データ提供装置と前記第１データ制作装置とから素材データの配信を受け、前記第２テンプレートを用いてデータを構成するデータ要素を合成する第２合成手段とを備えることを特徴とする第２データ制作装置。
【請求項５】
第１と第２とのデータ制作装置からなるデータ制作システムであって、
前記第１データ制作装置は、
データのテンプレートを記憶しているテンプレート記憶手段と、
素材データの提供を受けると、前記テンプレートを用いて、データを構成するデータ要素を合成し、データ要素を識別する識別子を付す合成手段と、
少なくとも１つのデータ要素の識別子と、データ要素の配信先とを対応させた配信情報を記憶している配信情報記憶手段と、
前記合成手段から合成されたデータ要素の通知を受けると、前記配信情報に識別子が記載されたデータ要素を選択し、対応する配信先の第２データ制作装置に配信するデータ要素配信手段とを備え、
前記第２データ制作装置は、
前記第１データ装置から配信されるデータ要素を受信する受信手段と、
受信されたデータ要素を独自のデータ要素とするための独自テンプレートを記憶している独自テンプレート記憶手段と、
受信されたデータ要素を独自テンプレートを用いて独自のデータ要素を合成する合成手段とを備えることを特徴とするデータ制作システム。
【請求項６】
第１データ制作装置であって、
データのテンプレートを記憶しているテンプレート記憶手段と、
素材データの提供を受けると、前記テンプレートを用いて、データを構成するデータ要素を合成し、データ要素を識別する識別子を付す合成手段と、
少なくとも１つのデータ要素の識別子と、データ要素の配信先とを対応させた配信情報を記憶している配信情報記憶手段と、
前記合成手段から合成されたデータ要素の通知を受けると、前記配信情報に識別子が記載されたデータ要素を選択し、対応する配信先の第２データ制作装置に配信するデータ要素配信手段とを備えることを特徴とする第１データ制作装置。
【請求項７】
前記データ要素配信手段からデータ要素の通知を受け、データ要素をデータストリームに変換して送出する変換送出手段を更に備え、
前記データ要素配信手段は、前記第２データ制作装置へのデータ要素の配信に要する時間を現在時刻に加えた時刻のタイムスタンプを前記データ要素に付記し、
前記変換送出手段は、前記タイムスタンプに従い、データストリームを送出することを特徴とする請求項６記載の第１データ制作装置。
【請求項８】
前記変換送出手段は、前記第２データ制作装置への番組の配信に要する遅延時間だけ前記データストリームの送出を遅延させることを特徴とする請求項７記載の第１データ制作装置。
【請求項９】
第１データ制作装置から配信されるデータ要素を受信する受信手段と、
受信されたデータ要素を独自のデータ要素とするための独自テンプレートを記憶している独自テンプレート記憶手段と、
受信されたデータ要素を独自テンプレートを用いて独自のデータ要素を合成する合成手段とを備えることを特徴とする第２データ制作装置。
【請求項１０】
受信したデータ要素を前記タイムスタンプに従い、データストリームに変換して送出する変換手段を更に備えることを特徴とする請求項９記載の第２データ制作装置。
【請求項１１】
前記第１データ制作装置から配信される番組の配信に要する遅延時間を記載した遅延情報を記憶する遅延情報記憶手段を更に備えることを特徴とする請求項１０記載の第２データ制作装置。
【請求項１２】
第１と第２とのデータ制作装置からなるデータ制作システムであって、
前記第１データ制作装置は、
データのテンプレートを記憶しているテンプレート記憶手段と、
素材データの提供を受けると、前記テンプレートを用いてデータを構成するモジュールを合成し、モジュールを識別する識別子を付すモジュール合成手段と、
少なくとも１つのモジュールの識別子と、配信先とを対応させた配信情報を記憶している配信情報記憶手段と、
前記モジュール合成手段から合成されたモジュールの通知を受けると、前記配信情報に識別子が記載されたモジュールを選択し、対応する配信先の前記第２のデータ制作装置に配信するモジュール配信手段とを備えることを特徴とするデータ制作システム。
【請求項１３】
第１データ制作装置から第２データ制作装置へ素材データを配信するデータ制作方法であって、
少なくとも１つの素材データの識別子と、素材データの配信先とを対応させた配信情報を記憶領域に記録する配信情報記録ステップと、
外部の素材データ提供装置から素材データの提供を受けた場合に、前記配信情報に識別子が記載された素材データを選択し、対応する配信先の第２データ制作装置に配信する素材データ配信ステップとを有することを特徴とするデータ制作方法。
【請求項１４】
第１データ制作装置から第２データ制作装置へデータ要素を配信するデータ制作方法であって、
データのテンプレートを記憶領域に記録するテンプレート記録ステップと、
素材データの提供を受けると、前記テンプレートを用いて、データを構成するデータ要素を合成し、データ要素を識別する識別子を付す合成ステップと、
少なくとも１つのデータ要素の識別子と、データ要素の配信先とを対応させた配信情報を記憶領域に記録する配信情報記録ステップと、
前記合成ステップで合成されたデータ要素の通知を受けると、前記配信情報に識別子が記載されたデータ要素を選択し、対応する配信先の第２データ制作装置に配信するデータ要素配信ステップとを有することを特徴とするデータ制作方法。
【請求項１５】
第１データ制作装置から第２データ制作装置へデータ要素を配信するデータ制作方法をコンピュータに実行させるプログラムであって、
データのテンプレートを記憶領域に記録するテンプレート記録ステップと、
素材データの提供を受けると、前記テンプレートを用いて、データを構成するデータ要素を合成し、データ要素を識別する識別子を付す合成ステップと、
少なくとも１つのデータ要素の識別子と、データ要素の配信先とを対応させた配信情報を記憶領域に記録する配信情報記録ステップと、
前記合成ステップで合成されたデータ要素の通知を受けると、前記配信情報に識別子が記載されたデータ要素を選択し、対応する配信先の第２データ制作装置に配信するデータ要素配信ステップとを有することを特徴とするデータ制作プログラム。
【請求項１６】
第１データ制作装置から第２データ制作装置へデータ要素を配信する第１データ制作装置に適用されるコンピュータ読み取り可能な記録媒体であって、
データ放送番組のテンプレートを記憶領域に記録するテンプレート記録ステップと、
素材データの提供を受けると、前記テンプレートを用いて、データ放送番組を構成するデータ放送番組要素を合成し、データ放送番組要素を識別する識別子を付す合成ステップと、
少なくとも１つのデータ放送番組要素の識別子と、データ放送番組要素の配信先とを対応させた配信情報を記憶領域に記録する配信情報記録ステップと、
前記合成ステップで合成されたデータ放送番組要素の通知を受けると、前記配信情報に識別子が記載されたデータ放送番組要素を選択し、対応する配信先の第２の放送局のデータ放送番組制作装置に配信するデータ放送番組要素配信ステップとを有してコンピュータに実行させるプログラムを記録したコンピュータ読み取り可能な記録媒体。
【手続補正３】
【補正対象書類名】明細書
【補正対象項目名】０００１
【補正方法】変更
【補正の内容】
【０００１】
【発明の属する技術分野】
本発明は、デジタル放送のデータ制作システムに関する。


【手続補正４】
【補正対象書類名】明細書
【補正対象項目名】０００６
【補正方法】変更
【補正の内容】
【０００６】
【課題を解決するための手段】
上記課題を解決するために、本発明は、第１と第２とのデータ制作装置からなるデータ制作システムであって、前記第１データ制作装置は、少なくとも１つの素材データの識別子と、素材データの配信先とを対応させた配信情報を記憶している配信情報記憶手段と、外部の素材データ提供装置から素材データの提供を受けた場合に、前記配信情報に識別子が記載された素材データを選択し、対応する配信先の第２データ制作装置に配信する素材データ配信手段と、前記素材データと同時に配信される番組を構成する各シーンには、シーン識別子が付されており、番組の各シーン毎の配信時刻が記載された配信スケジュールを記憶している配信スケジュール記憶手段とを備え、前記素材データにはシーンに対応するシーン識別子が付されており、前記素材データ配信手段は、素材データに付されたシーン識別子に対応する前記番組のシーンの配信時刻に合わせて素材データを配信することとしている。


【手続補正５】
【補正対象書類名】明細書
【補正対象項目名】００８４
【補正方法】変更
【補正の内容】
【００８４】
【発明の効果】
以上説明したように、本発明は、第１と第２とのデータ制作装置からなるデータ制作システムであって、前記第１データ制作装置は、少なくとも１つの素材データの識別子と、素材データの配信先とを対応させた配信情報を記憶している配信情報記憶手段と、外部の素材データ提供装置から素材データの提供を受けた場合に、前記配信情報に識別子が記載された素材データを選択し、対応する配信先の第２データ制作装置に配信する素材データ配信手段とを備えることとしている。


【手続補正６】
【補正対象書類名】明細書
【補正対象項目名】００８５
【補正方法】変更
【補正の内容】
【００８５】
このような構成によって、複数の放送局相互の間で必要な素材データを配信することができるので、外部の素材データ提供装置から同一の素材データの提供を受ける必要がなくなる。更に、このような構成によって、素材データが通常の番組の各シーンと関連しているときに、各シーンの配信時間に当該関連した素材データが提供できるように素材データを配信することができる。
また、第１データ制作装置であって、少なくとも１つの素材データの識別子と、素材データの配信先とを対応させた配信情報を記憶している配信情報記憶手段と、外部の素材データ提供装置から素材データの提供を受けた場合に、前記配信情報に識別子が記載された素材データを選択し、対応する配信先の第２データ制作装置に配信する素材データ配信手段と、前記素材データと同時に配信される番組を構成する各シーンには、シーン識別子が付されており、番組の各シーン毎の配信時刻が記載された配信スケジュールを記憶している配信スケジュール記憶手段とを備え、前記素材データにはシーンに対応するシーン識別子が付されており、前記素材データ配信手段は、素材データに付されたシーン識別子に対応する前記番組のシーンの配信時刻に合わせて素材データを配信することとしている。
また、データの第１テンプレートを記憶している第１テンプレート記憶手段と、前記素材データ配信手段によって選択された素材データと選択されなかった素材データとの両方の通知を受け、前記第１テンプレートを用いてデータを構成するデータ要素を合成する第１合成手段とを更に備えることとしている。


【手続補正７】
【補正対象書類名】明細書
【補正対象項目名】００８６
【補正方法】変更
【補正の内容】
【００８６】
このような構成によって、共通の素材データを用いてデータ要素を合成することができる。
【手続補正８】
【補正対象書類名】明細書
【補正対象項目名】００８７
【補正方法】変更
【補正の内容】
【００８７】
また、第１データ制作装置から素材データの配信を受ける第２データ制作装置であって、データの第２テンプレートを記憶している第２テンプレート記憶手段と、他の外部の素材データ提供装置と前記第１データ制作装置とから素材データの配信を受け、前記第２テンプレートを用いてデータを構成するデータ要素を合成する第２合成手段とを備えることとしている。
このような構成によって、共通の素材データを用いてデータ要素を合成する一方、独自の素材データを用いてデータ要素を合成することができる。
また、本発明は、第１と第２とのデータ制作装置からなるデータ制作システムであって、前記第１データ制作装置は、データのテンプレートを記憶しているテンプレート記憶手段と、素材データの提供を受けると、前記テンプレートを用いて、データを構成するデータ要素を合成し、データ要素を識別する識別子を付す合成手段と、少なくとも１つのデータ要素の識別子と、データ要素の配信先とを対応させた配信情報を記憶している配信情報記憶手段と、前記合成手段から合成されたデータ要素の通知を受けると、前記配信情報に識別子が記載されたデータ要素を選択し、対応する配信先の第２データ制作装置に配信するデータ要素配信手段とを備え、前記第２データ制作装置は、前記第１データ装置から配信されるデータ要素を受信する受信手段と、受信されたデータ要素を独自のデータ要素とするための独自テンプレートを記憶している独自テンプレート記憶手段と、受信されたデータ要素を独自テンプレートを用いて独自のデータ要素を合成する合成手段とを備えることとしている。


【手続補正９】
【補正対象書類名】明細書
【補正対象項目名】００８８
【補正方法】変更
【補正の内容】
【００８８】
このような構成によって、複数のデータ制作装置相互の間でデータを構成するデータ要素を共用することができる。
また、第１データ制作装置であって、データのテンプレートを記憶しているテンプレート記憶手段と、素材データの提供を受けると、前記テンプレートを用いて、データを構成するデータ要素を合成し、データ要素を識別する識別子を付す合成手段と、少なくとも１つのデータ要素の識別子と、データ要素の配信先とを対応させた配信情報を記憶している配信情報記憶手段と、前記合成手段から合成されたデータ要素の通知を受けると、前記配信情報に識別子が記載されたデータ要素を選択し、対応する配信先の第２データ制作装置に配信するデータ要素配信手段とを備えることとしている。
また、前記データ要素配信手段からデータ要素の通知を受け、データ要素をデータストリームに変換して送出する変換送出手段を更に備え、前記データ要素配信手段は、前記第２データ制作装置へのデータ要素の配信に要する時間を現在時刻に加えた時刻のタイムスタンプを前記データ要素に付記し、前記変換送出手段は、前記タイムスタンプに従い、データストリームを送出することとしている。
このような構成によって、第１データ制作装置から第２データ制作装置へのデータ要素の配信に要する時間を考慮して、第１データ制作装置と第２データ制作装置でのデータ要素の送出の絶対時刻を一致させることができる。
また、前記変換送出手段は、前記第２データ制作装置への番組の配信に要する遅延時間だけ前記データストリームの送出を遅延させることとしている。
このような構成によって、データが通常の番組と関連しているときに、第１データ制作装置から第２データ制作装置に番組を配信するのに要する時間を考慮してデータの送出を遅らせることができるので、番組の流れに応じたデータの提供が可能となる。
また、第１データ制作装置から配信されるデータ要素を受信する受信手段と、受信されたデータ要素を独自のデータ要素とするための独自テンプレートを記憶している独自テンプレート記憶手段と、受信されたデータ要素を独自テンプレートを用いて独自のデータ要素を合成する合成手段とを備えることとしている。


【手続補正１０】
【補正対象書類名】明細書
【補正対象項目名】００８９
【補正方法】変更
【補正の内容】
【００８９】
このような構成によって、第２データ制作装置では、第１データ制作装置で合成されたデータ要素を独自のデータ放送番組要素に変更して用いることができる。
また、受信したデータ要素を前記タイムスタンプに従い、データストリームに変換して送出する変換手段を更に備えることとしている。


【手続補正１１】
【補正対象書類名】明細書
【補正対象項目名】００９０
【補正方法】変更
【補正の内容】
【００９０】
このような構成によって、第１データ制作装置から第２データ制作装置へのデータ要素の配信に要する時間を考慮して、第１データ制作装置と第２データ制作装置でのデータ要素の送出の絶対時刻を一致させることができる。
また、前記第１データ制作装置から配信される番組の配信に要する遅延時間を記載した遅延情報を記憶する遅延情報記憶手段を更に備えることとしている。


【手続補正１２】
【補正対象書類名】明細書
【補正対象項目名】００９１
【補正方法】変更
【補正の内容】
【００９１】
このような構成によって、データが通常の番組と関連しているときに、第１データ制作装置から第２データ制作装置に番組を配信するのに要する時間を考慮してデータの送出を遅らせることができるので、番組の流れに応じたデータの提供を受けることが可能となる。
また、第１と第２とのデータ制作装置からなるデータ制作システムであって、前記第１データ制作装置は、データのテンプレートを記憶しているテンプレート記憶手段と、素材データの提供を受けると、前記テンプレートを用いてデータを構成するモジュールを合成し、モジュールを識別する識別子を付すモジュール合成手段と、少なくとも１つのモジュールの識別子と、配信先とを対応させた配信情報を記憶している配信情報記憶手段と、前記モジュール合成手段から合成されたモジュールの通知を受けると、前記配信情報に識別子が記載されたモジュールを選択し、対応する配信先の前記第２のデータ制作装置に配信するモジュール配信手段とを備えることとしている。


【手続補正１３】
【補正対象書類名】明細書
【補正対象項目名】００９２
【補正方法】変更
【補正の内容】
【００９２】
このような構成によって、第１データ制作装置で合成されたモジュールをそのまま第２データ制作装置に配信して利用することができる。
また、本発明は、第１データ制作装置から第２データ制作装置へ素材データを配信するデータ制作方法であって、少なくとも１つの素材データの識別子と、素材データの配信先とを対応させた配信情報を記憶領域に記録する配信情報記録ステップと、外部の素材データ提供装置から素材データの提供を受けた場合に、前記配信情報に識別子が記載された素材データを選択し、対応する配信先の第２データ制作装置に配信する素材データ配信ステップとを有することとしている。


【手続補正１４】
【補正対象書類名】明細書
【補正対象項目名】００９３
【補正方法】変更
【補正の内容】
【００９３】
このような方法によって、複数のデータ制作装置相互の間で必要な素材データの配信が可能となる。
また、本発明は、第１データ制作装置から第２データ制作装置へデータ要素を配信するデータ制作方法であって、データのテンプレートを記憶領域に記録するテンプレート記録ステップと、素材データの提供を受けると、前記テンプレートを用いて、データを構成するデータ要素を合成し、データ要素を識別する識別子を付す合成ステップと、少なくとも１つのデータ要素の識別子と、データ要素の配信先とを対応させた配信情報を記憶領域に記録する配信情報記録ステップと、前記合成ステップで合成されたデータ要素の通知を受けると、前記配信情報に識別子が記載されたデータ要素を選択し、対応する配信先の第２データ制作装置に配信するデータ要素配信ステップとを有することとしている。


【手続補正１５】
【補正対象書類名】明細書
【補正対象項目名】００９４
【補正方法】変更
【補正の内容】
【００９４】
このような方法によって、複数のデータ制作装置相互の間でデータを構成するデータ要素を共用することができる。
また、第１データ制作装置から第２データ制作装置へデータ要素を配信するデータ制作方法をコンピュータに実行させるプログラムであって、データのテンプレートを記憶領域に記録するテンプレート記録ステップと、素材データの提供を受けると、前記テンプレートを用いて、データを構成するデータ要素を合成し、データ要素を識別する識別子を付す合成ステップと、少なくとも１つのデータ要素の識別子と、データ要素の配信先とを対応させた配信情報を記憶領域に記録する配信情報記録ステップと、前記合成ステップで合成されたデータ要素の通知を受けると、前記配信情報に識別子が記載されたデータ要素を選択し、対応する配信先の第２データ制作装置に配信するデータ要素配信ステップとを有することとしている。


【手続補正１６】
【補正対象書類名】明細書
【補正対象項目名】００９５
【補正方法】変更
【補正の内容】
【００９５】
このようなプログラムを用いて、複数のデータ制作装置相互の間でデータ要素を共用することができる。
更に、第１データ制作装置から第２データ制作装置へデータ要素を配信する第１データ制作装置に適用されるコンピュータ読み取り可能な記録媒体であって、データ放送番組のテンプレートを記憶領域に記録するテンプレート記録ステップと、素材データの提供を受けると、前記テンプレートを用いて、データ放送番組を構成するデータ放送番組要素を合成し、データ放送番組要素を識別する識別子を付す合成ステップと、少なくとも１つのデータ放送番組要素の識別子と、データ放送番組要素の配信先とを対応させた配信情報を記憶領域に記録する配信情報記録ステップと、前記合成ステップで合成されたデータ放送番組要素の通知を受けると、前記配信情報に識別子が記載されたデータ放送番組要素を選択し、対応する配信先の第２の放送局のデータ放送番組制作装置に配信するデータ放送番組要素配信ステップとを有してコンピュータに実行させるプログラムを記録したコンピュータ読み取り可能な記録媒体としている。


【手続補正１７】
【補正対象書類名】明細書
【補正対象項目名】００９６
【補正方法】変更
【補正の内容】
【００９６】
このような、記録媒体をデータ制作装置に適用して、複数のデータ制作装置相互の間でデータ要素を配信することができる。